(57)【要約】  【課題】  本発明は、付箋としての利便性を損なうことなく、付箋オブジェクトが貼り付けられた部分が不可視状態となることを防止することのできる文書処理装置および方法並びにプログラムを提供する。  【解決手段】  付箋配置部１５により、新たに付箋オブジェクトが貼付された場合若しくは既に貼付されている付箋オブジェクトの貼付位置が変更された場合に、新たに貼付若しくは貼付位置が変更された付箋オブジェクトとの重複により所定の情報が隠蔽される場合に、付箋属性決定部１６が、付箋オブジェクトのうち少なくとも情報と重複する部分を透過させる。【選択図】        図１
2006243935.tif 000002
【特許請求の範囲】
【請求項１】
電子文書とともに、該電子文書に対する付箋として利用される付箋オブジェクトに対する処理を行う文書処理装置であって、
前記電子文書に対する新たな付箋オブジェクトの貼付若しくは前記電子文書に貼付されている付箋オブジェクトの貼付位置を変更する付箋配置手段と、
前記付箋配置手段により貼付若しくは貼付位置が変更された付箋オブジェクトとの重複により所定の情報が隠蔽される場合に、該付箋オブジェクトのうち少なくとも該情報と重複する部分を透過させる付箋属性変更手段と
を具備することを特徴とする文書処理装置。
【請求項２】
前記付箋属性変更手段は、前記付箋オブジェクトが文字若しくは文字列を隠蔽する場合に、該付箋オブジェクトのうち該文字若しくは文字列と重複する部分を透過させることを特徴とする請求項１記載の文書処理装置。
【請求項３】
前記付箋属性変更手段は、前記付箋オブジェクトが前記電子文書の内容部を隠蔽する場合に、該付箋オブジェクトのうち該内容部と重複する部分を透過させることを特徴とする請求項１記載の文書処理装置。
【請求項４】
電子文書とともに、該電子文書に対する付箋として利用される付箋オブジェクトに対する処理を行う文書処理装置であって、
前記電子文書に貼付された付箋オブジェクトを検索する付箋検索手段と、
前記付箋検索手段により検索された付箋オブジェクトとの重複により所定の情報が隠蔽される場合に、該付箋オブジェクトのうち少なくとも該情報と重複する部分を透過させる付箋属性変更手段と
を具備することを特徴とする文書処理装置。
【請求項５】
前記付箋属性変更手段は、前記付箋オブジェクトが文字若しくは文字列を隠蔽する場合に、該付箋オブジェクトのうち該文字若しくは文字列と重複する部分を透過させることを特徴とする請求項４記載の文書処理装置。
【請求項６】
前記付箋属性変更手段は、前記付箋オブジェクトが前記電子文書の内容部を隠蔽する場合に、該付箋オブジェクトのうち該内容部と重複する部分を透過させることを特徴とする請求項４記載の文書処理装置。
【請求項７】
前記電子文書の表示状態を変更する文書表示変更手段をさらに具備し、
前記付箋検索手段は、前記文書表示手段により前記電子文書の表示状態が変更される毎に、該電子文書に貼付された付箋オブジェクトを検索する
ことを特徴とする請求項４乃至６のいずれかに記載の文書処理装置。
【請求項８】
電子文書とともに、該電子文書に対する付箋として利用される付箋オブジェクトに対する処理を行う文書処理方法であって、
付箋配置手段により貼付若しくは貼付位置が変更された付箋オブジェクトとの重複により所定の情報が隠蔽される場合に、付箋属性変更手段が、前記付箋オブジェクトのうち少なくとも前記情報と重複する部分を透過させることを特徴とする文書処理方法。
【請求項９】
前記付箋属性変更手段は、前記付箋オブジェクトが文字若しくは文字列を隠蔽する場合に、該付箋オブジェクトのうち該文字若しくは文字列と重複する部分を透過させることを特徴とする請求項８記載の文書処理方法。
【請求項１０】
前記付箋属性変更手段は、前記付箋オブジェクトが前記電子文書の内容部を隠蔽する場合に、該付箋オブジェクトのうち該内容部と重複する部分を透過させることを特徴とする請求項８記載の文書処理方法。
【請求項１１】
電子文書とともに、該電子文書に対する付箋として利用される付箋オブジェクトに対する処理を行う文書処理方法であって、
付箋検索手段が前記電子文書に貼付された付箋オブジェクトを検索し、検索された付箋オブジェクトとの重複により所定の情報が隠蔽される場合に、付箋属性変更手段が前記付箋オブジェクトのうち少なくとも前記情報と重複する部分を透過させることを特徴とする文書処理方法。
【請求項１２】
前記付箋属性変更手段は、前記付箋オブジェクトが文字若しくは文字列を隠蔽する場合に、該付箋オブジェクトのうち該文字若しくは文字列と重複する部分を透過させることを特徴とする請求項１１記載の文書処理方法。
【請求項１３】
前記付箋属性変更手段は、前記付箋オブジェクトが前記電子文書の内容部を隠蔽する場合に、該付箋オブジェクトのうち該内容部と重複する部分を透過させることを特徴とする請求項１１記載の文書処理方法。
【請求項１４】
前記付箋検索手段による付箋オブジェクトの検索を、文書表示変更手段が前記電子文書の表示状態を変更する毎に行うことを特徴とする請求項１１乃至１３のいずれかに記載の文書処理方法。
【請求項１５】
電子文書とともに、該電子文書に対する付箋として利用される付箋オブジェクトに対する処理を行う文書処理プログラムであって、
前記電子文書に対する新たな付箋オブジェクトの貼付若しくは前記電子文書に貼付されている付箋オブジェクトの貼付位置を変更する付箋配置手段と、
前記付箋配置手段により貼付若しくは貼付位置が変更された付箋オブジェクトとの重複により所定の情報が隠蔽される場合に、該付箋オブジェクトのうち少なくとも該情報と重複する部分を透過させる付箋属性変更手段
としてコンピュータを機能させることを特徴とする文書処理プログラム。
【発明の詳細な説明】
【技術分野】
【０００１】
本発明は、文書処理装置および方法並びにプログラムに関し、特に、電子文書に対して、付箋として利用できる付箋オブジェクトを適用する文書処理装置および方法並びにプログラムに関する。
【背景技術】
【０００２】
紙文書に対して付箋を貼り付け、注目箇所を示したり、注釈を書き加えたりすることは、一般に行われている。
【０００３】
一方、電子文書を紙文書と同様に扱うことができるようにした文書処理装置においても、紙文書における付箋に対応して付箋オブジェクトが用意され、ユーザが電子文書に対して付箋オブジェクトを貼り付ける感覚で操作ができるものがある。
【０００４】
なお、詳細は後述するが、本発明では、付箋オブジェクトを透明や半透明にするといった処理を行っているが、画像全体を半透明にし、一部を不透明にして重ね合わせる技術については、特許文献１に記載されている。
【特許文献１】特開平４−１１９０８７号公報
【発明の開示】
【発明が解決しようとする課題】
【０００５】
ところで、電子文書に対して付箋オブジェクトを貼り付けることのできる文書処理装置においては、紙文書における付箋と同様に、付箋オブジェクトは不透過のものである。このため、付箋オブジェクトが貼り付けられた部分の文書は不可視状態となる。
【０００６】
また、付箋オブジェクトは、電子文書のページからはみ出すように貼り付けられることがある。このため、文書の一部が不可視状態となることを防止するために、付箋オブジェクトを透明若しくは半透明のオブジェクトにすると、ページからはみ出る部分に対する操作性が低下することが考えられる。
【０００７】
そこで、本発明は、付箋としての利便性を損なうことなく、付箋オブジェクトが貼り付けられた部分が不可視状態となることを防止することのできる文書処理装置および方法並びにプログラムを提供することを目的とする。
【課題を解決するための手段】
【０００８】
上述した目的を達成するため、請求項１の発明は、電子文書とともに、該電子文書に対する付箋として利用される付箋オブジェクトに対する処理を行う文書処理装置であって、前記電子文書に対する新たな付箋オブジェクトの貼付若しくは前記電子文書に貼付されている付箋オブジェクトの貼付位置を変更する付箋配置手段と、前記付箋配置手段により貼付若しくは貼付位置が変更された付箋オブジェクトとの重複により所定の情報が隠蔽される場合に、該付箋オブジェクトのうち少なくとも該情報と重複する部分を透過させる付箋属性変更手段とを具備することを特徴とする。
【０００９】
また、請求項２の発明は、請求項１の発明において、前記付箋属性変更手段は、前記付箋オブジェクトが文字若しくは文字列を隠蔽する場合に、該付箋オブジェクトのうち該文字若しくは文字列と重複する部分を透過させることを特徴とする。
【００１０】
また、請求項３の発明は、請求項１の発明において、前記付箋属性変更手段は、前記付箋オブジェクトが前記電子文書の内容部を隠蔽する場合に、該付箋オブジェクトのうち該内容部と重複する部分を透過させることを特徴とする。
【００１１】
また、請求項４の発明は、電子文書とともに、該電子文書に対する付箋として利用される付箋オブジェクトに対する処理を行う文書処理装置であって、前記電子文書に貼付された付箋オブジェクトを検索する付箋検索手段と、前記付箋検索手段により検索された付箋オブジェクトとの重複により所定の情報が隠蔽される場合に、該付箋オブジェクトのうち少なくとも該情報と重複する部分を透過させる付箋属性変更手段とを具備することを特徴とする。
【００１２】
また、請求項５の発明は、請求項４の発明において、前記付箋属性変更手段は、前記付箋オブジェクトが文字若しくは文字列を隠蔽する場合に、該付箋オブジェクトのうち該文字若しくは文字列と重複する部分を透過させることを特徴とする。
【００１３】
また、請求項６の発明は、請求項４の発明において、前記付箋属性変更手段は、前記付箋オブジェクトが前記電子文書の内容部を隠蔽する場合に、該付箋オブジェクトのうち該内容部と重複する部分を透過させることを特徴とする。
【００１４】
また、請求項７の発明は、請求項４乃至６のいずれかの発明において、前記電子文書の表示状態を変更する文書表示変更手段をさらに具備し、前記付箋検索手段は、前記文書表示手段により前記電子文書の表示状態が変更される毎に、該電子文書に貼付された付箋オブジェクトを検索することを特徴とする。
【００１５】
また、請求項８の発明は、電子文書とともに、該電子文書に対する付箋として利用される付箋オブジェクトに対する処理を行う文書処理方法であって、付箋配置手段により貼付若しくは貼付位置が変更された付箋オブジェクトとの重複により所定の情報が隠蔽される場合に、付箋属性変更手段が、前記付箋オブジェクトのうち少なくとも前記情報と重複する部分を透過させることを特徴とする。
【００１６】
また、請求項９の発明は、請求項８の発明において、前記付箋属性変更手段は、前記付箋オブジェクトが文字若しくは文字列を隠蔽する場合に、該付箋オブジェクトのうち該文字若しくは文字列と重複する部分を透過させることを特徴とする。
【００１７】
また、請求項１０の発明は、請求項８の発明において、前記付箋属性変更手段は、前記付箋オブジェクトが前記電子文書の内容部を隠蔽する場合に、該付箋オブジェクトのうち該内容部と重複する部分を透過させることを特徴とする。
【００１８】
また、請求項１１の発明は、電子文書とともに、該電子文書に対する付箋として利用される付箋オブジェクトに対する処理を行う文書処理方法であって、付箋検索手段が前記電子文書に貼付された付箋オブジェクトを検索し、検索された付箋オブジェクトとの重複により所定の情報が隠蔽される場合に、付箋属性変更手段が前記付箋オブジェクトのうち少なくとも前記情報と重複する部分を透過させることを特徴とする。
【００１９】
また、請求項１２の発明は、請求項１１の発明において、前記付箋属性変更手段は、前記付箋オブジェクトが文字若しくは文字列を隠蔽する場合に、該付箋オブジェクトのうち該文字若しくは文字列と重複する部分を透過させることを特徴とする。
【００２０】
また、請求項１３の発明は、請求項１１の発明において、前記付箋属性変更手段は、前記付箋オブジェクトが前記電子文書の内容部を隠蔽する場合に、該付箋オブジェクトのうち該内容部と重複する部分を透過させることを特徴とする。
【００２１】
また、請求項１４の発明は、請求項１１乃至１３のいずれかの発明において、前記付箋検索手段による付箋オブジェクトの検索を、文書表示変更手段が前記電子文書の表示状態を変更する毎に行うことを特徴とする。
【００２２】
また、請求項１５の発明は、電子文書とともに、該電子文書に対する付箋として利用される付箋オブジェクトに対する処理を行う文書処理プログラムであって、前記電子文書に対する新たな付箋オブジェクトの貼付若しくは前記電子文書に貼付されている付箋オブジェクトの貼付位置を変更する付箋配置手段と、前記付箋配置手段により貼付若しくは貼付位置が変更された付箋オブジェクトとの重複により所定の情報が隠蔽される場合に、該付箋オブジェクトのうち少なくとも該情報と重複する部分を透過させる付箋属性変更手段としてコンピュータを機能させることを特徴とする。
【発明の効果】
【００２３】
本発明によれば、新たに貼り付けられた付箋オブジェクト若しくは貼付位置が変更された付箋オブジェクトとの重複により情報が隠蔽される場合に、付箋オブジェクトのうち少なくとも情報と重複する部分を透過させるようにしたので、付箋としての利便性を損なうことなく、付箋オブジェクトが貼り付けられた部分が不可視状態となることを防止することができる。
【発明を実施するための最良の形態】
【００２４】
以下、本発明に係る文書処理装置および方法並びにプログラムの一実施の形態について、添付図面を参照して詳細に説明する。
【実施例１】
【００２５】
図１は、実施例１における文書処理装置の機能的な構成を示すブロック図である。同図に示すように、文書処理装置１０は、文書入出力部１１と文書保持部１２、表示制御部１３、操作受付部１４、付箋配置部１５、付箋属性決定部１６を具備して構成される。なお、文書処理装置１０は、各機能部をコンピュータに実現させるためのプログラムにしたがって、コンピュータを動作させることで実現することができる。
【００２６】
文書入出力部１１は、図示しない記憶部に記憶されている文書の読み出しや、文書処理装置１０で処理された文書を同記憶部に保存する。
【００２７】
文書保持部１２は、文書入出力部１１が読み出した文書を、図示しないメモリ等に展開して保持する。
【００２８】
表示制御部１３は、文書保持部１２が保持する文書を、図示しない表示装置にイメージとして表示させる。
【００２９】
操作受付部１４は、表示制御部１３が表示する文書のページの切り替えや、文書保持部１２が保持する文書の保存処理、付箋配置部１５による付箋オブジェクトの貼付や貼付位置の変更等の指示を受け付け、受け付けた指示を各部に通知する。
【００３０】
付箋配置部１５は、操作受付部１４から通知される指示に基づいて、文書保持部１２が保持する文書に対して、新たに付箋オブジェクトを配置したり、当該文書に対して貼付済みの付箋オブジェクトの貼付位置を変更したりする。
【００３１】
付箋属性決定部１６は、付箋配置部１５が付箋オブジェクトを配置する文書上の位置を取得するとともに、当該文書の該当位置の情報を取得し、付箋オブジェクトの貼付により文書中の文字が隠蔽されると判断した場合に、付箋配置部１５が配置する付箋オブジェクトの一部を透過させる。なお、付箋オブジェクトの一部を透過させる条件としては、文書中の文字が隠蔽される以外にも、文書中の他のオブジェクト、例えば、図や表、マーカー等による線等が隠蔽される場合もあり、他の付箋オブジェクトに文字が含まれる場合には、その文字が隠蔽される場合にも付箋オブジェクトの一部を透過させる。これらの条件は、任意に変更が可能なものである。
【００３２】
次に、文書処理装置１０の動作について説明する。図２は、文書処理装置１０の動作の流れを示すフローチャートである。
【００３３】
文書処理装置１０は、文書入力部１１が図示しない記憶部から文書を読み出し、当該文書を文書保持部１２が保持した後に、操作受付部１４が、新たな付箋オブジェクトの貼付指示を受け付けるか（ステップ１０１でＹＥＳ）、貼付済みの付箋オブジェクトの貼付位置の変更指示を受け付けると（ステップ１０１でＮＯ、ステップ１０２でＹＥＳ）、付箋配置部１５が当該指示に応じて付箋オブジェクトを文書に貼付し、付箋属性決定部１６が、付箋配置部１５からその貼付位置を取得する（ステップ１０３）。
【００３４】
続いて、付箋属性決定部１６が、文書保持部１２から、先に取得した貼付位置の文書情報を取得する（ステップ１０４）。そして、付箋属性決定部１６は、取得した文書情報から、文字等が隠蔽される状態、つまり、付箋オブジェクトの一部を透過させる必要がある状態と判断すると（ステップ１０５でＹＥＳ）、該当する付箋オブジェクトの一部を透過させる（ステップ１０６）。一方、付箋属性決定部１６は、付箋オブジェクトを透過させる必要がないと判断した場合には（ステップ１０５でＮＯ）、何ら処理を行わない。
【００３５】
なお、付箋属性決定部１６が、付箋オブジェクトの一部を透過させると判断する条件は、上述した通りであるが、上述した条件の他に、例えば、図３（ａ）に示すように文書２００に対して付箋オブジェクト２０１がはみ出すように貼付された場合には、上述した条件にしたがって付箋オブジェクトの一部を透過させると判断するが、図３（ｂ）に示すように、文書２１０に対して付箋オブジェクト２１１がはみ出すことなく貼付された場合には、付箋オブジェクトを透過させないと判断するようにすることもできる。これは、付箋オブジェクトが文書からはみ出さずに貼付された場合には、付箋の下に隠蔽された文書は重要ではないので、隠蔽しても構わないと判断してのことか、文書の一部を隠蔽することが目的となっていることが考えられるからであるが、このような条件も任意に変更することが可能である。
【００３６】
また、ステップ１０６における付箋オブジェクトの透過処理は、図４（ａ）に示すように、文書２２０に貼付された付箋オブジェクト２２１のうち、文書２２０の文字と重複する部分を透明若しくは半透明に変更することで行われるが、図４（ｂ）に示すように、文書２３０に貼付された付箋オブジェクト２３１のうち、文書２３０の文字と重複する部分を、透明若しくは半透明と付箋オブジェクト２３１の全体の色と交互に配するように変更することで行われるようにしてもよい。
【００３７】
このような付箋オブジェクトに対する処理は、操作受付部１４が編集終了の指示を受け付けるまでの間、繰り返して行われ（ステップ１０７でＮＯ）、操作受付部１４が編集終了の指示を受け付けると（ステップ１０７でＹＥＳ）、文書保存指示があれば（ステップ１０８でＹＥＳ）、文書保持部１２が保持している文書を、貼付されている付箋オブジェクトとともに文書入出力部１１を介して図示しない記憶部に保存して（ステップ１０９）、処理を終了し、文書保存指示がなければ（ステップ１０８でＮＯ）、そのまま、処理を終了する。
【００３８】
なお、ステップ１０９で文書を保存する際には、付箋オブジェクトが貼付された状態で保存されるが、付箋オブジェクトは、透過処理が施されていた場合には、その状態のまま保存される。
【実施例２】
【００３９】
実施例１では、透過処理によって付箋オブジェクトの属性を変更する場合を説明したが、実施例２では、付箋オブジェクトの属性自体は変更せずに、付箋オブジェクトを表示する際の表示属性を変更する場合を説明する。
【００４０】
図５は、実施例２における文書処理装置の機能的な構成を示すブロック図である。同図に示すように、文書処理装置３１０は、文書入出力部３１１と文書保持部３１２、表示制御部３１３、操作受付部３１４、付箋配置部３１５、付箋表示属性決定部３１６を具備して構成される。なお、文書処理装置１０は、各機能部をコンピュータに実現させるためのプログラムにしたがって、コンピュータを動作させることで実現することができる。
【００４１】
文書入出力部３１１は、図示しない記憶部に記憶されている文書の読み出しや、文書処理装置３１０で処理された文書を同記憶部に保存する。
【００４２】
文書保持部３１２は、文書入出力部３１１が読み出した文書を、図示しないメモリ等に展開して保持する。
【００４３】
表示制御部３１３は、文書保持部３１２が保持する文書を、図示しない表示装置にイメージとして表示させる。
【００４４】
操作受付部３１４は、表示制御部３１３が表示する文書のページの切り替えや、文書保持部３１２が保持する文書の保存処理、付箋配置部３１５による付箋オブジェクトの貼付や貼付位置の変更等の指示を受け付け、受け付けた指示を各部に通知する。
【００４５】
付箋配置部３１５は、操作受付部３１４から通知される指示に基づいて、文書保持部３１２が保持する文書に対して、新たに付箋オブジェクトを配置したり、当該文書に対して貼付済みの付箋オブジェクトの貼付位置を変更したりする。
【００４６】
付箋表示属性決定部３１６は、表示制御部３１３が表示する文書が更新される場合、例えば、表示ページが変更された場合や、付箋オブジェクトが貼付された場合、貼付されている付箋オブジェクトの貼付位置が変更された場合に、文書保持部３１２が保持している文書から、付箋オブジェクトの配置位置および当該配置位置における文書の情報を取得し、付箋オブジェクトの貼付により文書中の文字が隠蔽されていると判断した場合に、付箋オブジェクトの一部を透過させる。なお、付箋オブジェクトの一部を透過させる条件は、実施例１の場合と同様である。
【００４７】
次に、文書処理装置３１０の動作について説明する。図６は、文書処理装置３１０の動作の流れを示すフローチャートである。
【００４８】
文書処理装置３１０は、文書入力部３１１が図示しない記憶部から文書を読み出し、当該文書を文書保持部３１２が保持すると、表示制御部３１３が図示しない表示装置に文書のイメージを表示するが、この表示に際して、付箋表示属性決定部３１６が、文書から付箋オブジェクトを検索する（ステップ４０１）。
【００４９】
検索の結果、付箋オブジェクトが見つかった場合には、この時点では、当該付箋オブジェクトは未処理であるため（ステップ４０２でＹＥＳ）、付箋表示属性決定部３１６は、文書保持部３１２から、付箋の貼付位置を取得し（ステップ４０３）、続けて当該貼付位置の文書情報を取得する（ステップ４０４）。そして、付箋表示属性決定部３１６は、取得した文書情報から、文字等が隠蔽される状態、つまり、付箋オブジェクトの一部を透過させる必要がある状態と判断すると（ステップ４０５でＹＥＳ）、該当する付箋オブジェクトの一部を表示上透過させる（ステップ４０６）。表示上透過させた結果は、実施例１の場合と同様となる。
【００５０】
一方、付箋表示属性決定部３１６は、付箋オブジェクトを透過させる必要がないと判断した場合には（ステップ３０５でＮＯ）、当該付箋オブジェクトに対しては何ら処理を行わない。
【００５１】
付箋表示属性決定部３１６は、これらの処理を検索により見つかった全ての付箋オブジェクトに対して実行し、見つかった全ての付箋オブジェクトに対して実行すると（ステップ４０２でＮＯ）、操作受付部３１４が表示の変更や、付箋イメージの貼付や貼付位置の変更、編集の終了等の指示を受け付けるのを待つ（ステップ４０７でＮＯ、ステップ４０８でＮＯ）。
【００５２】
そして、操作受付部３１４が表示ページの変更や、付箋の貼付等の指示を受け付け、表示制御部３１３が、図示しない表示装置へ表示するイメージを変更すると（ステップ４０７でＹＥＳ）、付箋表示属性決定部３１６は、再度、付箋オブジェクトの検索を行い、同様の処理を繰り返す。
【００５３】
また、文書処理装置３１０は、操作受付部３１４が編集終了の指示を受け付けると（ステップ４０８でＹＥＳ）、文書保存指示があれば（ステップ４０９でＹＥＳ）、文書保持部３１２が保持している文書を、貼付されている付箋オブジェクトとともに文書入出力部３１１を介して図示しない記憶部に保存して（ステップ４１０）、処理を終了し、文書保存指示がなければ（ステップ４０９でＮＯ）、そのまま、処理を終了する。
【００５４】
なお、ステップ４１０で文書を保存する際には、付箋オブジェクトが貼付された状態で保存されるが、付箋オブジェクトに透過表示処理が施されていた場合でも、その処理が施されていない状態のまま保存される。
【００５５】
この文書処理装置３１０は、表示制御部３１４によって図示しない表示装置に表示されるイメージは、基本的には実施例１の場合と同様であるが、異なるページに貼付された複数の付箋オブジェクトが重なる場合でも、対応する透過表示処理を行うことができる。
【００５６】
例えば、図７（ａ）に示すように、文書５００に付箋オブジェクト５０１が貼付され、図７（ｂ）に示すように、文書５１０に付箋オブジェクト５１１が貼付されている場合に、文書５００が１ページ目となり、文書５１０が２ページ目となるように文書を５００と文書５１０と他の文書を束ねた場合を考える。この場合には、束ねた文書の１ページ目を表示制御部３１４によって図示しない表示装置した場合には、図７（ｃ）に示すように、付箋オブジェクト５０１に透過表示処理が施されるが、束ねた文書の２ページ目を表示制御部３１４によって図示しない表示装置した場合には、図７（ｄ）に示すように、付箋オブジェクト５１１に透過表示処理が施されることとなる。
【００５７】
このような処理により、文書処理装置３１０では、その表示状態によって、重複関係が変わる付箋オブジェクトに対しても、適切な処理を施すことができる。
【図面の簡単な説明】
【００５８】
【図１】実施例１における文書処理装置の機能的な構成を示すブロック図である。
【図２】文書処理装置１０の動作の流れを示すフローチャートである。
【図３】付箋オブジェクトの一部を透過させる条件を説明するための図である。
【図４】付箋オブジェクトの透過処理を説明するための図である。
【図５】実施例２における文書処理装置の機能的な構成を示すブロック図である。
【図６】文書処理装置３１０の動作の流れを示すフローチャートである。
【図７】実施例２における付箋オブジェクトの透過処理を説明するための図である。
【符号の説明】
【００５９】
１０    文書処理装置
１１    文書入出力部
１２    文書保持部
１３    表示制御部
１４    操作受付部
１５    付箋配置部
１６    付箋属性決定部
２００    文書
２０１    付箋オブジェクト
２１０    文書
２１１    付箋オブジェクト
２２０    文書
２２１    付箋オブジェクト
２３０    文書
２３１    付箋オブジェクト
３１０    文書処理装置
３１１    文書入出力部
３１２    文書保持部
３１３    表示制御部
３１４    操作受付部
３１５    付箋配置部
３１６    付箋表示属性決定部
５００    文書
５０１    付箋オブジェクト
５１０    文書
５１１    付箋オブジェクト
【図１】
2006243935.tif 000003
【図２】
2006243935.tif 000004
【図３】
2006243935.tif 000005
【図４】
2006243935.tif 000006
【図５】
2006243935.tif 000007
【図６】
2006243935.tif 000008
【図７】
2006243935.tif 000009